(57)【特許請求の範囲】
【請求項１】
胴部下端に内向きフランジ状の肩部を形成して、該肩部内周から先端面閉塞の第１口頸部を突出する詰替え液体収納容器において、第１口頸部５左右両側肩部の少なくとも一方から該第１口頸部側面との間に少間隙をおいてガイド板７を突出し、該小間隙24内へ被詰替え容器14の第２口頸部15周壁を、かつ該第２口頸部内へ第１口頸部５を、それぞれ嵌合可能に形成し、
胴部３下面の左右方向一半を斜上外方への傾斜壁４として、該傾斜壁を上記第１口頸部５およびガイド板付きの肩部となし、該第１口頸部５の先端部と胴部３の上端部とを、板状に挟持圧着させたシール部２，６に形成し、
胴部３下面の他半部を底壁９となし、上記傾斜壁側を除く底壁外周部を下方へ張出しさせて半筒状の脚部10に形成すると共に、該脚部内方底壁部分の前後方向中間部から第１脚板11を垂下し、かつ該第１脚板を延長させて、第１口頸部５下方の肩部分から突出するガイド板７と連続させて第２脚板12となし、上記脚部10、第１脚板11、第２脚板12の各下端面を、容器正立時の接地面としたことを特徴とする詰替え液体収納容器。
【発明の詳細な説明】
【０００１】
【発明の属する技術分野】
本発明は、合成樹脂材で成形した詰替え液体収納容器に関する。
【０００２】
【従来の技術】
詰替え液体収納容器は廉価に形成できることが必要であり、そのため従来パウチと称する剛性に乏しい容器が用いられている。
【０００３】
【発明が解決しようとする課題】
上記容器は剛性が乏しいため、被詰替え容器内への液体詰替えが行い難い欠点があった。
【０００４】
本発明は、その液体詰替えが容易でかつ廉価に形成できるよう設けたものである。
【０００５】
【課題を解決するための手段】
第１の手段として、胴部下端に内向きフランジ状の肩部を形成して、該肩部内周から先端面閉塞の第１口頸部を突出する詰替え液体収納容器において、第１口頸部５左右両側肩部の少なくとも一方から該第１口頸部側面との間に少間隙をおいてガイド板７を突出し、該小間隙24内へ被詰替え容器14の第２口頸部15周壁を、かつ該第２口頸部内へ第１口頸部５を、それぞれ嵌合可能に形成したことを特徴とする。
【０００６】
第２の手段として、上記第１の手段を有すると共に胴部３下面の左右方向一半を斜上外方への傾斜壁４として、該傾斜壁を上記第１口頸部５およびガイド板付きの肩部となし、該第１口頸部５の先端部と胴部３の上端部とを、板状に挟持圧着させたシール部２，６に形成した。
【０００７】
第３の手段として、上記第２の手段を有すると共に胴部３下面の他半部を底壁９となし、上記傾斜壁側を除く底壁外周部を下方へ張出しさせて半筒状の脚部10に形成すると共に、該脚部内方底壁部分の前後方向中間部から第１脚板11を垂下し、かつ該第１脚板を延長させて、第１口頸部５下方の肩部分から突出するガイド板７と連続させて第２脚板12となし、
上記脚部10、第１脚板11、第２脚板12の各下端面を、容器正立時の接地面とした。
【００１１】
【発明の実施の形態】
まず図１から図４が示す第１実施形態について説明すると、１はブロー成形され、かつ胴部上端開口部を挟着して平板状のシール部２とした容器で、該容器は図示例において胴部３下面の右半を斜上外方への傾斜壁４とし、かつ該傾斜壁の上下方向中間部を斜下外方へ突出する第１口頸部５とし、該第１口頸部の下端部は板状に閉塞されたシール部６としている。又図１、図２が示すように、第１口頸部５上下の傾斜壁４部分前後方向の中間部からは、第１口頸部左右側面との間に少間隙をおいてガイド板７，７を斜下外方へ突出させている。これ等第１口頸部およびガイド板７，７は、胴部下面を右方へ、かつ胴部右側面を下方へ、それぞれ延長した二面と、上記傾斜壁４とが囲む空間内へ位置するよう設けている。又第１口頸部下端のシール部６先端部も板状とされ、該板状部８は上記ガイド板７，７と同一垂直面上に位置し、かつ上記空間内へ位置させている。
【００１２】
胴部下面の左半は底壁９としており、上記傾斜壁側を除く底壁外周部下方へ張出しさせて半筒状の脚部10としている。又該脚部内方の底壁部分の前後方向中間部からは、フランジ状に第１脚板11を垂下し、かつ該第１脚板を右方へ延長させて、第１口頸部５下方の肩部分から突出するガイド板７と連続させて、これ等延長部分とガイド板とで第２脚板12を形成している。それ等脚部10、第１、第２脚板11,12 の各下面は同一平面上に位置させ、容器正立時の接地面とする。尚図示例において胴部左方の下部には凹溝13を横設しているが、該凹溝は胴部上端開口で液体充填を行う前の成形品積み重ね用の係合部で、必ずしも必要としない。
【００１３】
上記容器内への液体充填は、胴部３上端の開口から行い、液体充填後、その開口部を挟着させてシール部２とする。
【００１４】
液体詰替えの際は、図４が示すように第１口頸部５下端のシール部６を破断して除去した後、第１口頸部５外面とガイド板７，７との間隙内へ、被詰替え容器14の第２口頸部15を差込み、又その第２口頸部内へ本発明容器の第１口頸部５を嵌合させて詰替えすればよい。
【００１５】
図５から図８は第２実施形態を示す。該実施形態の容器は、熱成形等された合成樹脂製半容器状板21と、該半容器状板の前面へ溶着等して接合させた耐水性フィルム31とからなる。
【００１６】
半容器状板21は、胴部上端から肩部を介して口頸部を起立する形状の容器を、縦断した形状で、前面凹状かつ後面凸状で又その肩部該当部分22の前面から、口頸部該当部分23外面との間に小間隙24をおいてガイド板25,25 を起立する形状としている。それ等ガイド板前面は半容器状板21前面と面一に形成している。
【００１７】
該半容器状板は、側面からみて下方が巾広でかつ上部は巾狭に形成しており、このようにすることで、凹部26の下端部が最も奥行きが大で上部奥行きを浅くできる。但し凹部の口頸部該当部分の奥行きは上下同じにしている。
【００１８】
上記半容器状板21の前面へは、凹部26を閉塞させて耐水性フィルム31を接合させている。該フィルムは、図６、図７が示すように半容器状板21が有する小間隙24,24 前方のフィルム部分に切離し線32,32 を縦設し、又口頸部該当部分の上部前方と、胴部該当部分前方のフィルム部分にスリット33,33 ないし透孔を穿設している。スリットの場合は図示のように十字形とすればよい。
【００１９】
上記耐水性フィルム接着により容器34が形成でき、該容器内への液体充填は、図７のように胴部該当部分前方のスリット33ないし透孔内へ注液用ノズル35を差込んで行う。該液体充填後、上記スリットないし透孔をタックシール36貼着によって閉塞する。図示例では上記両スリットを中間部にミシン目38を有する縦長のタックシールで同時に行っている。
【００２０】
液体詰替えの際は、予めミシン目破断により上方タックシール部分を除去しておき、図８が示すように、既述口頸部該当部分23と該部分前方のフィルム部分とが形成する第１口頸部37を、被詰替え容器14の第２口頸部15内へ、又該第２口頸部周壁を小間隙24と切離し線32とが形成する割溝状部分内へそれぞれ嵌合させ、口頸部部分前方のフィルム部分に設けたスリット33ないし、透孔からの液体注出で行うことが出来る。
【００２１】
【発明の効果】
本発明は既述構成とするものであり、請求項１記載のように行うことで被詰替え容器内への液体詰替えは、該被詰替え容器の第２口頸部15周壁を小間隙24内へ、又該第２口頸部内へ第１口頸部５,37 を、それぞれ嵌合させて行うからその詰替え時に第２口頸部15内から第１口頸部が外れるようなことがなく、その詰替えを容易かつ確実に行うことが出来る。
【００２２】
また、本発明は、第１口頸部５の先端部および胴部３上端部の閉塞を簡易に行うことが出来る。
【００２３】
さらに、本発明は、接地面の拡がりを大とすることが出来、容器正立状態保持に役立てることが出来る。
【００２４】
さらに、本発明は、容器を低コストで形成でき、又該容器内からの液体注出口の形成が容易である。
【００２５】
さらに、本発明は、容器内への液体充填口の形成が容易である。
【００２６】
さらに、本発明は、重心が下方にあって倒れ難い容器とすることが出来る。
【図面の簡単な説明】
【図１】  本発明容器の側面図である。
【図２】  容器の底面図である。
【図３】  容器要部の縦断面図である。
【図４】  被詰替え容器内への詰替え状態を示す側面図である。
【図５】  第２実施形態で示す、容器の斜視図である。
【図６】  図５容器の分解斜視図である。
【図７】  図５容器内への液体充填方法を示す斜視図である。
【図８】  被詰替え容器内への液体詰替え方法を示す説明図である。
【符号の説明】
４…傾斜壁                    ５…第１口頸部
７…ガイド板                  10…脚部
11…第１脚板                  12…第２脚板
14…被詰替え容器              15…第２口頸部
21…半容器状板                22…肩部該当部分
23…口頸部該当部分            25…ガイド板
31…耐水性フィルム            32…切離し線
33…スリット                  36…タックシール
37…第１口頸部
【図１】
0004177011.tif 000002
【図２】
0004177011.tif 000003
【図３】
0004177011.tif 000004
【図４】
0004177011.tif 000005
【図５】
0004177011.tif 000006
【図６】
0004177011.tif 000007
【図７】
0004177011.tif 000008
【図８】
0004177011.tif 000009